(57)【要約】      （修正有）【課題】喫煙者と非喫煙者との会話が可能な、喫煙空間内の空気の排気状態の喫煙空間の形状によるばらつきの少ない喫煙ブースを提供する。【解決手段】喫煙空間１１０には、出入口５０の他に貫通孔４２０からも外部の空気が取り込まれる。ここで、貫通孔４２０が、略直方体の喫煙空間１１０の隅にも形成されているので、喫煙空間１１０の隅にも空気の流れが生じることで、空気の滞留が抑えられ、喫煙空間１１０の隅に煙が籠もるのを抑えることができる。また、非喫煙者は喫煙者と貫通孔４２０を介して会話ができる。【選択図】図１
0003183466.tif 000002
【実用新案登録請求の範囲】
【請求項１】
天井と、前記天井の縁に沿って設けられた側壁とで囲まれ外部と画された喫煙空間と、前記喫煙空間への出入口とを有する禁煙ブースであって、
前記側壁に設けられた吸気口と、
前記喫煙空間から前記吸気口を介して吸気した空気を外部に排気する排気ユニットとを備え、
前記吸気口が設けられた側壁に対向する側壁に、前記喫煙空間と外部とを連通する複数の貫通孔を設けた
ことを特徴とする喫煙ブース。
【請求項２】
前記出入口に、ドアが設けられている
ことを特徴とする請求項１に記載の喫煙ブース。
【請求項３】
前記ドアに、前記貫通孔が設けられている
ことを特徴とする請求項２に記載の喫煙ブース。
【請求項４】
前記吸気口が前記側壁の上側に設けられ、前記貫通孔が、少なくとも前記対向する側壁の上側に設けられている
ことを特徴とする請求項１〜請求項３のいずれか一項に記載の喫煙ブース。
【請求項５】
前記天井の天井面が矩形状で、前記側壁が矩形状の側面を有し、前記喫煙空間が略直方体である
ことを特徴とする請求項１〜請求項４のいずれか一項に記載の喫煙ブース。
【請求項６】
前記貫通孔が、前記略直方体の喫煙空間の隅に形成されている
ことを特徴とする請求項５に記載の喫煙ブース。
【請求項７】
前記天井の天井面が曲線を含む線で囲まれた面形状であり、前記側壁が、曲面の側面を有する
ことを特徴とする請求項１〜請求項４のいずれか一項に記載の喫煙ブース。
【考案の詳細な説明】
【技術分野】
【０００１】
本考案は、部屋に設置される喫煙ブースに関する。
【背景技術】
【０００２】
喫煙空間を、非喫煙者が居住あるいは活動する空間と分離するために、部屋に設置される喫煙ブースが用いられる。天井面および側面を囲って喫煙空間を略密閉状態にした喫煙ブースが知られている（例えば、特許文献１参照）。喫煙ブースには、換気扇、空気清浄機、空気取り入れ窓を備えたドア等が設けられている。
【先行技術文献】
【特許文献】
【０００３】
【特許文献１】特開２００５−２０７０７８号公報
【考案の概要】
【考案が解決しようとする課題】
【０００４】
喫煙空間は、ドアを閉めると略密閉状態の空間であるので、喫煙空間にいる喫煙者と、喫煙空間の外にいる非喫煙者との会話が困難である。また、喫煙空間の形状によっては、喫煙空間内の空気の排気状態にばらつきが生じる。
本考案は、このような事情に基づいてなされたものであり、喫煙者と非喫煙者との会話が可能な、喫煙空間内の空気の排気状態のばらつきの少ない喫煙ブースを提供することを目的とする。
【課題を解決するための手段】
【０００５】
本考案の喫煙ブースは、天井と、前記天井の縁に沿って設けられた側壁とで囲まれ外部と画された喫煙空間と、前記喫煙空間への出入口とを有する禁煙ブースであって、前記側壁に設けられた吸気口と、前記喫煙空間から前記吸気口を介して吸気した空気を外部に排気する排気ユニットとを備え、前記吸気口が設けられた側壁に対向する側壁に、前記喫煙空間と外部とを連通する複数の貫通孔を設けたことを特徴とする。
【０００６】
上記本考案の喫煙ブースにおいて、前記出入口に、ドアが設けられていることを特徴とする。
【０００７】
上記本考案の喫煙ブースにおいて、前記ドアに、前記貫通孔が設けられていることを特徴とする。
【０００８】
上記本考案の喫煙ブースにおいて、前記吸気口が前記側壁の上側に設けられ、前記貫通孔が、少なくとも前記対向する側壁の上側に設けられていることを特徴とする。
【０００９】
上記本考案の喫煙ブースにおいて、前記天井の天井面が矩形状で、前記側壁が矩形状の側面を有し、前記喫煙空間が略直方体であることを特徴とする。
【００１０】
上記本考案の喫煙ブースにおいて、前記貫通孔が、前記略直方体の喫煙空間の隅に形成されていることを特徴とする。
【００１１】
上記本考案の喫煙ブースにおいて、前記天井の天井面が曲線を含む線で囲まれた面形状であり、前記側壁が、曲面の側面を有することを特徴とする。
【考案の効果】
【００１２】
本考案によれば、喫煙者と非喫煙者との会話が可能な、喫煙空間内の空気の排気状態のばらつきの少ない喫煙ブースを提供できる。
【図面の簡単な説明】
【００１３】
【図１】第１実施形態における喫煙ブースの概略斜視図。
【図２】（ａ）は喫煙ブースの正面図、（ｂ）は左側面図。
【図３】喫煙ブースの使用状態を示す概略図。
【図４】第２実施形態における喫煙ブースの概略斜視図。
【図５】第３実施形態における喫煙ブースの概略斜視図。
【図６】第４実施形態における喫煙ブースの概略斜視図。
【考案を実施するための形態】
【００１４】
以下、添付図面を参照して、本考案を実施するための形態（以下、実施形態）について詳細に説明する。なお、実施形態の説明の全体を通して同じ要素には同じ番号を付している。
【００１５】
（第１実施形態）
図１は、本実施形態における喫煙ブース１００の概略斜視図である。図２（ａ）は喫煙ブース１００の正面図、（ｂ）は左側面図である。
図１において、喫煙ブース１００は、部屋１０００の床面１１００に設置されている。喫煙ブース１００は、天井１０と、後側の側壁としての奥壁２０と両側の２つの側壁３０と、奥壁２０に対向する前側の側壁としての２つの前壁４０と、２つの前壁４０の間に設けられた出入口５０とを備えている。奥壁２０と側壁３０と前壁４０とは、天井１０の縁に沿って略コの字状に設けられている。ここで、天井１０に向かう方向が上で、床面１１００に向かう方向が下である。また、出入口５０を設けた側を前側といい、反対側を後側という。喫煙ブース１００の外部から前壁４０に向かって左を左側、右を右側という。
【００１６】
喫煙ブース１００は、天井１０と、天井１０の縁に沿って設けられた奥壁２０と側壁３０と前壁４０とで囲まれ外部である部屋１０００と画された喫煙空間１１０を有している。ここで、天井１０の天井面は矩形状で、奥壁２０、側壁３０および前壁４０の側面が矩形状を有しており、喫煙空間１１０は略直方体である。
奥壁２０は、例えば、部屋１０００の壁１２００に向けて配置されている。なお、本実施形態では、喫煙ブース１００の奥壁２０が、部屋１０００の壁１２００を背にして設置されているが、これらの設置状態に限らない。例えば、部屋１０００の中央あたりに設置されていてもよい。
【００１７】
図１および図２において、喫煙ブース１００は、２つの排気ユニット７０を備えている。また、２つの排気ユニット７０に対応して、奥壁２０には、２つの吸気口８０が設けられている。それぞれの排気ユニット７０は、喫煙空間１１０から吸気口８０を介して吸気された空気を外部に排気する。
ここで、奥壁２０に、吸気口８０への空気の流れを制御する整流板が設けられていてもよい。
【００１８】
排気ユニット７０からは、フィルタを通されて煙が取り除かれた空気が排出される。空気の排出は、喫煙ブース１００の下側から行ってもよいし、喫煙ブース１００の上側から排出してもよい。
排気ユニット７０の数は、喫煙空間１１０の大きさや形状によって選択することができ、1つや３以上であってもよい。
また、禁煙空間１１０に、灰皿や灰処理部が設けられていてもよいし、灰皿を持ち込んでもよい。
奥壁２０には、例えば、金属板、合成樹脂板、ガラス等を用いることができるが、軽量化を図るのであれば、合成樹脂板を用いるのがよい。
【００１９】
側壁３０は、枠３１と、透明な合成樹脂からなる２枚の側板３２と、桟３３とを備えている。桟３３は、枠３１の上下方向の中程で喫煙ブース１００の前後に渡され、２枚の側板３２が、桟３３を挟んで枠３１の上側と下側とにそれぞれ嵌め込まれている。側板３２は、透明なものに限らず、金属板、ガラス板等であってもよい。
【００２０】
前壁４０は、枠４１と、透明な合成樹脂からなる側板４２，４３と、桟４４とを備えている。桟４４は、枠４１の上下方向の中程で左右に渡され、側板４２が上側に、側板４３が下側にそれぞれ嵌め込まれている。ここで、上部の側板４２には、複数の円形状の開口を有する貫通孔４２０が、全体にわたって一様に形成されている。したがって、貫通孔４２０は、略直方体の喫煙空間１１０の隅にも形成されている
貫通孔４２０の開口の形状は円に限らず、喫煙空間１１０を外部と連通するものであればよい。例えば、楕円、矩形、三角形、多角形等であってもよい。貫通孔４２０の数や、貫通孔４２０間の間隔、位置関係等の配置の仕方も図示したものに限らない。
ここで、貫通孔４２０の形成された側板４２の領域が少なくとも透明であるのが好ましい。
【００２１】
枠３１と、枠４１とは、喫煙ブース１００の四隅に設けられた柱に取り付けて連結してもよいし、枠３１と、枠４１とを直接連結してもよいし、フレームに嵌め込んでもよい。
また、側壁３０および前壁４０は、１枚の側板で構成されていてもよいし、２以上の桟と３以上の側板で構成されていてもよい。
【００２２】
出入口５０は、床面１１００から天井１０まで開口している。出入口５０は、喫煙者が出入りできる大きさであればよく、床面１１００から天井１０まで開口しているものに限らない。
また、出入口５０は、奥壁２０や側壁３０に設けられていてもよい。
【００２３】
図３に、喫煙ブース１００の使用状態を示す概略図を示した。図中には、空気の流れを矢印で示している。
以下に、排気ユニット７０が作動したときの空気の流れを説明する。
図３において、喫煙によって生じる煙は、図中の矢印で示した空気の流れに乗って、吸気口８０に向かう。
【００２４】
図３において、喫煙空間１１０には、出入口５０の他に貫通孔４２０からも外部の空気が取り込まれる。ここで、貫通孔４２０が、略直方体の喫煙空間１１０の隅にも形成されているので、喫煙空間１１０の隅にも空気の流れが生じ、空気の滞留が抑えられ、喫煙空間１１０の隅に煙が籠もるのを抑えることができる。
また、非喫煙者は喫煙者と貫通孔４２０を介して会話ができる。
また、貫通孔４２０の形成された側板４２の領域が少なくとも透明であると、非喫煙者と喫煙者とが相手の表情を見ながら会話ができる。
【００２５】
（第２実施形態）
図４に、本実施形態における喫煙ブース１５０の概略斜視図を示した。図において、第１実施形態と同じ要素には同じ符号を付している。
図４において、禁煙ブース１５０の出入口５０には、ドア６０が設けられている。ドア６０には、ドアノブ６１が設けられ、開閉可能となっている。
また、ドア６０の上側には、貫通孔６００が設けられている。
【００２６】
ここで、貫通孔６００は、喫煙空間１１０に空気の流れが生じることで、空気の滞留が抑えられ、喫煙空間１１０に煙が籠もるのを抑えることができれば、設ける位置は限定されない。例えば、ドア６０の上側だけでなく、全体にわたって設けられていてもよい。
【００２７】
なお、非喫煙者が喫煙者と貫通孔６００を介して会話ができるためには、貫通孔６００はドア６０の上側に設けるのがよい。
また、第１実施形態と同様に、貫通孔６００の形状、数、貫通孔６００間の間隔、位置関係等の配置の仕方も図示したものに限らない。
本実施形態によれば、ドア６０が閉められていても、喫煙者と非喫煙者との会話が可能な、喫煙空間内の空気の排気状態のばらつきの少ない喫煙ブース１５０を提供できる。
【００２８】
（第３実施形態）
第１実施形態では、喫煙ブース１００の喫煙空間１１０の形状は、略直方体であったが、これに限定されない。
図５に本実施形態における喫煙ブース２００の概略斜視図を示した。本実施形態は、第１実施形態と比較して小型の喫煙ブース２００である。
図５において、喫煙ブース２００は、天井２１０と、後側の側壁としての奥壁２２０と、両側の２つの側壁２３０と、前側の側壁としての２つの前壁２４０と、出入口２５０とを備えている。本実施形態では、１つの排気ユニット７０が設けられている。
本実施形態においても、第１実施形態と同様に、奥壁２２０に吸気口８０が設けられている。
【００２９】
天井２１０は、天井面が曲線を含む線で囲まれた面形状を有している。具体的には、天井面は、奥壁２２０が沿う直線と、２つの側壁２３０が沿う曲線と、２つの前壁２４０が沿う曲線で囲まれた面形状を有している。
喫煙ブース２００は、天井２１０と、天井２１０の縁に沿って設けられた奥壁２２０と側壁２３０と前壁２４０とで囲まれ外部である図１に示した部屋１０００と画された喫煙空間２６０を有している。
【００３０】
側壁２３０は、枠２３１と、透明な合成樹脂からなる２枚の湾曲した側板２３０と、桟２３３とを備えている。桟２３３は、枠２３１の上下方向の中程で湾曲して渡され、２枚の側板２３１が、桟２３３を挟んで枠２３１の上側と下側とに嵌め込まれている。
【００３１】
前壁２４０は、枠２４１と、透明な合成樹脂からなる側板２４２，２４３と、桟２４４とを備えている。桟２４４は、枠２４１の上下方向の中程で湾曲して渡され、側板２４２が上側に、側板２４３が下側に嵌め込まれている。ここで、側板２４２には、複数の円形状の開口を有する貫通孔２４２０が、全体にわたって形成されている。
【００３２】
貫通孔２４２０の開口の形状は円に限らず、楕円、矩形、三角形、多角形等であってもよい。また、貫通孔２４２０の数や配置も図示したものに限らない。
また、枠２３１と、枠２４１とは、直接連結してもよいし、フレームに嵌め込んでもよい。
また、側壁２３０および前壁２４０は、１枚の側板で構成されていてもよいし、２以上の桟と３以上の側板で構成されていてもよい。
【００３３】
出入口２５０は、２つの前壁２４０の間に設けられている。出入口２５０は、喫煙者が出入りできる大きさであれば、床面１１００から天井２１０まで開口しているものに限らない。
また、本実施形態においても、第２実施形態と同様にドアが設けられていてもよいし、ドアに貫通孔が設けられていてもよい。
【００３４】
（第４実施形態）
図６に本実施形態における喫煙ブース３００の概略斜視図を示した。本実施形態では、第３実施形態と同じ要素の符号は省略した。
本実施形態の喫煙ブース３００は、第３実施形態と比較して大きさが大きく、第３実施形態と排気ユニット７０が２箇所設けられている点が異なる。このように、喫煙ブースの大きさによって排気ユニットや吸気口の数を変えることができる。
また、第１実施形態、第２実施形態および第３実施形態と貫通孔の開口の形状が異なり、本実施形態では、矩形状の開口を有する貫通孔３４２０が形成されている。
なお、本実施形態においても、第２実施形態と同様にドアが設けられていてもよいし、ドアに貫通孔が設けられていてもよい。
【００３５】
以上、実施形態を用いて本考案を説明したが、本考案の技術的範囲は上記実施形態に記載の範囲には限定されないことは言うまでもない。上記実施形態に、多様な変更または改良を加えることが可能であることが当業者に明らかである。また、その様な変更または改良を加えた形態も本考案の技術的範囲に含まれ得ることが、実用新案登録請求の範囲の記載から明らかである。
【符号の説明】
【００３６】
１０，２１０…天井、２０，２２０…奥壁、３０，２３０…側壁、３１，２３１…枠、３２，２３２…側板、３３，２３３…桟、４０，２４０…前壁、４１，２４１…枠、４２，４３，２４２，２４３…側板、４４，２４４…桟、５０，２５０…出入口、６０…ドア、６１…ノブ、７０…排気ユニット、８０…吸気口、１００，２００，３００…喫煙ブース、４２０，６００，２４２０，３４２０…貫通孔、１０００…部屋、床面…１１００、壁…１２００。
【図１】
0003183466.tif 000003
【図２】
0003183466.tif 000004
【図３】
0003183466.tif 000005
【図４】
0003183466.tif 000006
【図５】
0003183466.tif 000007
【図６】
0003183466.tif 000008
【手続補正書】
【提出日】平成25年3月7日(2013.3.7)
【手続補正１】
【補正対象書類名】実用新案登録請求の範囲
【補正対象項目名】請求項１
【補正方法】変更
【補正の内容】
【請求項１】
天井と、前記天井の縁に沿って設けられた側壁とで囲まれ外部と画された喫煙空間と、前記喫煙空間への出入口とを有する喫煙ブースであって、
前記側壁に設けられた吸気口と、
前記喫煙空間から前記吸気口を介して吸気した空気を外部に排気する排気ユニットとを備え、
前記吸気口が設けられた側壁に対向する側壁に、前記喫煙空間と外部とを連通する複数の貫通孔を設けた
ことを特徴とする喫煙ブース。